(57)【要約】【課題】室内熱交換器およびそれ以外の構成部品の除菌を行うことができる室内ユニットを提供する。【解決手段】室内熱交換器１７に送風機１８に指向される除菌ユニット４０を設け、除菌ユニット４０は、ＬＥＤランプ４４と、ＬＥＤランプ４４から照射される紫外線光を室内熱交換器１７側に反射させる反射部材４５とを備え、反射部材４５は、ＬＥＤランプ４４の光軸方向に配置され、反射部材４５は、ＬＥＤランプ４４から照射される紫外線光を左右両側に反射する反射板４７を備えている。【選択図】図２
2020134027.tif 000002
【特許請求の範囲】
【請求項１】
箱型の筐体の内部に、送風機と、前記送風機を囲む室内熱交換器と、前記室内熱交換器を下方から覆うドレンパンとを備え、前記ドレンパンの中央の吸込み通路から吸い込んだ空気を前記室内熱交換器で熱交換し、前記室内熱交換器の下流の送風路を通して吹き出す室内ユニットにおいて、
前記室内熱交換器に前記送風機に指向される除菌ユニットを設け、
前記除菌ユニットは、ＬＥＤランプと、前記ＬＥＤランプから照射される紫外線光を前記室内熱交換器側に反射させる反射部材とを備えていることを特徴とする室内ユニット。
【請求項２】
前記反射部材は、前記ＬＥＤランプの光軸方向に配置され、前記反射部材は、前記ＬＥＤランプから照射される紫外線光を左右両側に反射する反射板を備えていることを特徴とする請求項１に記載の室内ユニット。
【請求項３】
前記除菌ユニットは、前記室内熱交換器の対角上に２つ設けられていることを特徴とする請求項１または請求項２に記載の室内ユニット。
【請求項４】
前記ＬＥＤランプは、紫外線光とともに可視光を照射するように構成されていることを特徴とする請求項１から請求項３のいずれか一項に記載の室内ユニット。
【請求項５】
前記送風機の表面には、光触媒が担持されていることを特徴とする請求項１から請求項４のいずれか一項に記載の室内ユニット。
【発明の詳細な説明】
【技術分野】
【０００１】
本発明は、室内ユニットに関する。
【背景技術】
【０００２】
従来、空気調和装置の室内ユニットにおいては、室内熱交換器で凝縮水が生成されるとともに空気中の浮遊物質が付着しやすいため菌が発生しやすい環境にある。
このため室内熱交換器に紫外線を照射して除菌する技術として、紫外線ランプの紫外線光を熱交換器に直接照射し、ファンやドレンパンなど樹脂部品に、紫外線光を直接照射すると樹脂劣化を起こし、樹脂の信頼性が低下するため、紫外線ランプとファンやドレンパンの間に反射板を設けるようにした技術が開示されている（例えば、特許文献１参照）。
【先行技術文献】
【特許文献】
【０００３】
【特許文献１】特開２０１２−１８９２４９号公報
【発明の概要】
【発明が解決しようとする課題】
【０００４】
しかしながら、前記従来の技術では、室内熱交換器の除菌を行うものではあるが、近年、室内ユニットから吹出される空気の空質を改善し、快適な空気を吹出す室内ユニットが要望されており、室内ユニットを構成する室内熱交換器以外の構成部品についても除菌を行うことが求められている。
また、紫外線ランプは大きいため、紫外線ランプの配置構成のためファンの吹出し風量の効率を落とすことや、輸送時に割れやすいおそれがあった。
本発明は、前記した事情に鑑みてなされたものであり、室内熱交換器およびそれ以外の構成部品の除菌を行うことができる室内ユニットを提供することを目的とするものである。
【課題を解決するための手段】
【０００５】
前記目的を達成するため、本発明は、箱型の筐体の内部に、送風機と、前記送風機を囲む室内熱交換器と、前記室内熱交換器を下方から覆うドレンパンとを備え、前記ドレンパンの中央の吸込み通路から吸い込んだ空気を前記室内熱交換器で熱交換し、前記室内熱交換器の下流の送風路を通して吹き出す室内ユニットにおいて、前記室内熱交換器に前記送風機に指向される除菌ユニットを設け、前記除菌ユニットは、ＬＥＤランプと、前記ＬＥＤランプから照射される紫外線光を前記室内熱交換器側に反射させる反射部材とを備えていることを特徴とする。
【発明の効果】
【０００６】
本発明によれば、ＬＥＤランプの紫外線光が反射部材により、反射されて室内熱交換器側に照射され、紫外線により室内熱交換器を除菌することができる。また、反射部材をＬＥＤランプの光軸方向に配置するようにしているので、送風機には弱い強度の紫外線を照射させることができ、送風機の除菌を行うことができるとともに、送風機を構成する樹脂を劣化させてしまうことを防止することができる。
【図面の簡単な説明】
【０００７】
【図１】本発明の実施の形態に係る室内ユニットの内部構造を示す断面図
【図２】本実施形態の室内ユニットの内部を示す平面図
【図３】本実施形態の室内ユニットの内部を示す概略断面図
【図４】本実施形態の除菌ユニットを示す側面図
【図５】本実施形態の除菌ユニットを示す平面図
【発明を実施するための形態】
【０００８】
第１の発明は、箱型の筐体の内部に、送風機と、前記送風機を囲む室内熱交換器と、前記室内熱交換器を下方から覆うドレンパンとを備え、前記ドレンパンの中央の吸込み通路から吸い込んだ空気を前記室内熱交換器で熱交換し、前記室内熱交換器の下流の送風路を通して吹き出す室内ユニットにおいて、前記室内熱交換器に前記送風機に指向される除菌ユニットを設け、前記除菌ユニットは、ＬＥＤランプと、前記ＬＥＤランプから照射される紫外線光を前記室内熱交換器側に反射させる反射部材とを備えている。
これにより、ＬＥＤランプの紫外線光が反射部材により、反射されて室内熱交換器側に照射され、紫外線により室内熱交換器を除菌することができる。また、反射部材をＬＥＤランプの光軸方向に配置するようにしているので、送風機には弱い強度の紫外線を照射させることができ、送風機の除菌を行うことができるとともに、送風機を構成する樹脂を劣化させてしまうことを防止することができる。
【０００９】
第２の発明は、前記反射部材は、前記ＬＥＤランプの光軸方向に配置され、前記反射部材は、前記ＬＥＤランプから照射される紫外線光を左右両側に反射する反射板を備えている。
これにより、ＬＥＤランプの紫外線光が反射部材の反射板により、反射されて室内熱交換器側に照射され、紫外線により室内熱交換器を除菌することができる。また、反射部材をＬＥＤランプの光軸方向に配置するようにしているので、送風機には弱い強度の紫外線を照射させることができ、送風機を構成する樹脂を劣化させてしまうことを防止することができる。
【００１０】
第３の発明は、前記除菌ユニットは、前記室内熱交換器の対角上に２つ設けられている。
これにより、ＬＥＤランプを室内熱交換器の対角上の取付けるようにしているので、送風機から除菌ユニットを離した状態で設置することができ、ＬＥＤランプの指向性を大きく確保することができる。また、除菌ユニットを室内熱交換器の対角上に配置することにより、略四角形状に折り曲げ形成された室内熱交換器の全体にわたって紫外線光を照射することが可能となる。
【００１１】
第４の発明は、前記ＬＥＤランプは、紫外線光とともに可視光を照射するように構成されている。
これにより、ＬＥＤランプから紫外線光とともに可視光を照射するようにしているので、利用者が化粧パネルから可視光を視認することができ、紫外線光の照射効果を確認することができる。
【００１２】
第５の発明は、前記送風機の表面には、光触媒が担持されている。
これにより、送風機の表面に光触媒を担持させているので、紫外線光が照射された場合に、紫外線光と光触媒とが反応することで、送風機や空気の消臭を行うことができる。
【００１３】
以下、本発明の一実施の形態を、図面を参照して説明する。
図１は、本発明の実施の形態に係る空気調和装置の室内ユニット１０の内部構造を示す断面図である。
なお、以下の説明において、上下、内外とは、天井に設置された室内ユニット１０を基準として説明している。また、空調後の空気が吹き出される空間を被調和室としている。
【００１４】
室内ユニット１０は、建屋の天井１１と天井１１の下方に設置された天井板１２との間の天井空間１３に設置される。室内ユニット１０は、室内ユニット本体１４と、室内ユニット本体１４の下側開口を覆う化粧パネル３０とを備えている。
室内ユニット本体１４は、下面の略全面が開口した略箱型の筐体１５を備える。室内ユニット本体１４は、筐体１５の内部に、発泡スチロール製の断熱部材１６と、室内熱交換器１７と、送風機１８と、室内熱交換器１７のドレン水を受けるドレンパン１９と、送風機１８に吸い込まれる空気を整流するベルマウス２０とを備える。
筐体１５の外側面の角部には、吊り用金具２１が取り付けられている。室内ユニット本体１４は、天井１１から垂れ下がる吊りボルト２２に吊り用金具２１が連結されることで、天井１１から吊り下げられた状態で設置される。
【００１５】
化粧パネル３０は、室内ユニット本体１４の下面の開口を覆うように平面視で略四角形の板状に形成されている。
化粧パネル３０の中央部分には、ベルマウス２０に連通する吸込口３１が形成されている。化粧パネル３０には、吸込口３１を覆う吸い込みグリル３２が着脱可能に取り付けられている。吸い込みグリル３２の室内ユニット本体１４側には、空気中の塵などを除去するためのフィルタ３３が設けられている。
【００１６】
化粧パネル３０の吸込口３１の外側であって化粧パネル３０の外周部の各辺に沿った位置には、空調後の空気を被調和室に送る吹出口３４がそれぞれ形成されている。すなわち、吹出口３４は、平面視で略四角形の化粧パネル３０の各辺に沿うように設けられており、吹出口３４から４方向に空気が吹き出される。
吹出口３４には、吹出方向を調整可能なフラップ（図示せず）がそれぞれ設けられている。
【００１７】
断熱部材１６は、筐体１５の側板１５ａおよび天板１５ｂの内面に設けられており、筐体１５における結露の発生を防止する。
【００１８】
送風機１８は、ファンモータ２３と、遠心ファン２４とを備えて構成される。ファンモータ２３は、下方に延びる回転軸２３ａを備え、遠心ファン２４は、回転軸２３ａに固定される。ファンモータ２３は、平面視において室内ユニット１０の略中央に配置され、筐体１５の天板１５ｂに固定されている。
遠心ファン２４は、回転軸２３ａに固定される円板状の主板２４ａと、主板２４ａの下方で主板２４ａと略同軸に配置される環状のシュラウド２４ｂと、シュラウド２４ｂと主板２４ａとを連結する複数の翼２４ｃとを備える。翼２４ｃは、主板２４ａの周方向に互いに間隔をあけて複数配置される。
【００１９】
室内熱交換器１７は、送風機１８の略全体を側方から囲うように、板状の熱交換器を平面視で略四角形状に折り曲げるようにして形成されている。
室内熱交換器１７は、冷房運転時には冷媒の蒸発器として機能し、暖房運転時には冷媒の凝縮器として機能する。室内熱交換器１７は、室内ユニット本体１４の内部に吸い込まれる室内の空気と冷媒との熱交換を行って、冷房運転時には空調室内の空気を冷却し、暖房運転時には室内の空気を加熱することができるように構成されている。
【００２０】
ドレンパン１９は、室内熱交換器１７で発生するドレン水を受けることができるように、室内熱交換器１７の下方に配置される。ドレンパン１９は発泡スチロール製である。
ドレンパン１９は、筐体１５の下面の開口の略全体を塞ぐように略矩形の板状に形成されている。
ドレンパン１９は、室内熱交換器１７に沿って一周する水路状に形成されている。室内ユニット１０は、ドレン水通路２７ｂ上に、ドレン水を排出するドレンポンプ（図示せず）を備えている。
【００２１】
図２は、本実施形態の室内ユニットの内部を示す平面図である。図３は、本実施形態の室内ユニットの内部を示す概略断面図である。図４は、本実施形態の除菌ユニットを示す側面図である。図５は、本実施形態の除菌ユニットを示す平面図である。
【００２２】
図２から図５に示すように、本実施形態においては、室内熱交換器１７の対角上には、除菌ユニット４０が配置されている。除菌ユニット４０は、室内熱交換器１７に取付部材４１を介して固定される本体４２を備えている。本体４２の一面側には、ＬＥＤ基板４３が取り付けられており、ＬＥＤ基板４３には、紫外線光を照射するＬＥＤランプ４４が設けられている。ＬＥＤランプ４４は、送風機１８に対して光を照射することができる方向に指向されている。
【００２３】
ＬＥＤランプ４４は、紫外線波長の光を照射するものである。なお、本実施形態においては、ＬＥＤランプ４４は、３６５〜４００ｎｍの可視光波長を含む光を照射するように構成されている。
このように紫外線光に可視光を含めて照射することにより、紫外線光が化粧パネル部分から室内にも照射され、利用者に紫外線照射状態を視認させることができるようにしている。
【００２４】
ＬＥＤランプ４４の光軸上には、反射部材４５が配置されている。反射部材４５は、本体４２の上下端に取り付けられた平板状の反射板取付治具４６により支持されている。
反射部材４５は、ＬＥＤランプ４４の光軸付近が最も近接し、左右両側に向かってＬＥＤランプ４４から遠ざかるように角度をもって配置された２枚の反射板４７を備えている。
これら各反射板４７のなす角度は、ＬＥＤランプ４４の紫外線光を反射させる方向に応じて任意に設定することができるものである。本実施形態においては、略９０°となるように設定されている。
また、送風機１８の表面には、光触媒が担持されている。
【００２５】
次に、本実施形態の作用について説明する。
本実施形態においては、室内ユニット１０が運転されると、送風機１８の回転によって、被調和室の空気が吸込口３１からベルマウス２０を経て内部に吸い込まれる。
次いで、吸い込まれた空気は、送風機１８によって外側に送風され、室内熱交換器１７を通過する際に熱交換されて吹出口３４から被調和室に吹き出される。
【００２６】
この場合に、室内ユニットが運転されると、ＬＥＤランプ４４が点灯され、ＬＥＤランプ４４の紫外線光が反射部材４５の反射板４７に照射される。これにより、紫外線光は、反射板４７により照射され室内熱交換器１７側に反射される。
紫外線光が室内熱交換器１７に照射されると、紫外線により室内熱交換器１７の除菌が行われる。
【００２７】
このとき、ＬＥＤランプ４４から照射される紫外線光の照射角度は、約１３０°程度と比較的広範囲に照射される。そのため、反射板４７より外側に照射された紫外線光は、送風機１８側に直接照射される。
この場合に、ＬＥＤランプ４４から照射される紫外線光は、光軸付近の紫外線光が最も紫外線強度が強く、光軸から離れるに従って、紫外線強度は低くなる。そのため、反射板４７より外側を通る紫外線光の紫外線強度は、比較的弱いため、直接送風機１８に照射された場合でも、送風機１８を構成する樹脂を劣化させてしまうことがない。
【００２８】
また、本実施形態においては、送風機１８の表面に光触媒を担持させているので、紫外線光が照射された場合に、紫外線光と光触媒とが反応することで、送風機１８の消臭を行うことができる。
また、本実施形態においては、ＬＥＤランプ４４から紫外線光とともに可視光を照射するようにしているので、利用者が化粧パネルから可視光を視認することができ、紫外線光の照射効果を確認することができる。
【００２９】
また、除菌ユニット４０を室内熱交換器１７の上流側に配置しているので、送風機１８から吸い込む空気により、ＬＥＤ基板４３の熱を冷却することができ、除菌ユニット４０の放熱効率を高めることができる。また、ＬＥＤランプ４４を室内熱交換器１７側に取付けるようにしているので、送風機１８から除菌ユニット４０を離した状態で設置することができ、ＬＥＤランプ４４の指向性を大きく確保することができる。
【００３０】
以上説明したように、本実施形態においては、室内熱交換器１７に送風機１８に指向される除菌ユニット４０を設け、除菌ユニット４０は、ＬＥＤランプ４４と、ＬＥＤランプ４４から照射される紫外線光を室内熱交換器１７側に反射させる反射部材４５とを備え、反射部材４５は、ＬＥＤランプ４４の光軸方向に配置され、反射部材４５は、ＬＥＤランプ４４から照射される紫外線光を左右両側に反射する２枚の反射板４７を備えている。
これにより、ＬＥＤランプ４４の紫外線光が反射部材４５の反射板４７により、反射されて室内熱交換器１７側に照射され、紫外線により室内熱交換器１７を除菌することができる。また、反射部材４５をＬＥＤランプ４４の光軸方向に配置するようにしているので、送風機１８には弱い強度の紫外線を照射させることができ、送風機１８の除菌を行うことができるとともに、送風機１８を構成する樹脂を劣化させてしまうことがない。
なお、本実施の形態においては、反射板４７を２枚で形成するようにしたが、１枚の反射板４７を略９０°となるように折り曲げて形成してもよい。
【００３１】
また、本実施形態においては、除菌ユニット４０は、室内熱交換器１７の対角上に２つ設けられている。
これにより、除菌ユニット４０を室内熱交換器１７の対角上に取付けるようにしているので、送風機１８から除菌ユニット４０を離した状態で設置することができ、ＬＥＤランプ４４の指向性を大きく確保することができる。また、除菌ユニット４０を室内熱交換器１７の対角上に配置することにより、略四角形状に折り曲げ形成された室内熱交換器１７の全体にわたって紫外線光を照射することが可能となる。
【００３２】
また、本実施形態においては、ＬＥＤランプ４４は、紫外線光とともに可視光を照射するように構成されている。
これにより、ＬＥＤランプ４４から紫外線光とともに可視光を照射するようにしているので、利用者が化粧パネルから可視光を視認することができ、紫外線光の照射効果を確認することができる。
【００３３】
また、本実施形態においては、送風機１８の表面には、光触媒が担持されている。
これにより、送風機１８の表面に光触媒を担持させているので、紫外線光が照射された場合に、紫外線光と光触媒とが反応することで、送風機１８の消臭を行うことができる。
【００３４】
なお、実施形態に基づいて本発明を説明したが、本発明は本実施形態に限定されるものではない。あくまでも本発明の一実施態様を例示するものであるから、本発明の趣旨を逸脱しない範囲で任意に変更、および応用が可能である。
【産業上の利用可能性】
【００３５】
以上のように、本発明に係る室内ユニットは、紫外線により室内熱交換器のみならず送風機を除菌することができ、かつ、送風機の樹脂材料の劣化を防止することのできる室内ユニットに好適に利用することができる。
【符号の説明】
【００３６】
１０  室内ユニット
１４  室内ユニット本体
１５  筐体
１７  室内熱交換器
１８  送風機
１９  ドレンパン
２０  ベルマウス
２３  ファンモータ
２４  遠心ファン
２４ｂ  シュラウド
２４ｃ  翼
３０  化粧パネル
３１  吸込口
３４  吹出口
４０  除菌ユニット
４１  取付部材
４２  本体
４３  ＬＥＤ基板
４４  ＬＥＤランプ
４５  反射部材
４６  反射板取付治具
４７  反射板
【図１】
2020134027.tif 000003
【図２】
2020134027.tif 000004
【図３】
2020134027.tif 000005
【図４】
2020134027.tif 000006
【図５】
2020134027.tif 000007